(57)【要約】【課題】メータパネルを容易に製造することができ、低コスト化を図ることができるキャビネットを提供する。【解決手段】メータパネル１０が、前枠１２及び脚部１３、１３・・からなるフレーム本体１１と、前枠１２の設置開口部１２Ｅを覆うように取り付けられる複数のユニットパネルとを有してなる。また、ユニットパネルとして、各種スイッチ５１、５２を複数搭載可能なスイッチ用パネル２１と、電流計５３等の計測装置を複数搭載可能な計器用パネル２２と、表示灯５４を複数搭載可能なランプ用パネル２３とがある。そして、計測装置、表示灯、及びスイッチ等の種類や数、有無に応じて必要なパネル２１〜２３を選択してスイッチや計測装置、表示灯等を搭載した上で、それらパネル２１〜２３を、搭載されているスイッチや計測装置等を設置開口部１２Ｅ内に位置させた状態で、両端を前枠１２にネジ止めすることにより構成するようにした。【選択図】図４
2019080409.tif 000002
【特許請求の範囲】
【請求項１】
スイッチ装置、計測装置、及び表示灯のうちの少なくとも何れか１つが搭載されたメータパネルが内蔵されたキャビネットであって、
前記メータパネルが、前記キャビネットへ固定する固定部、及び中央に開口を有する正面視矩形のフレーム状に成形された前枠を有するフレーム本体と、前記フレーム本体に、前記前枠の開口の少なくとも一部を覆うように固定される複数のユニットパネルとを備えてなり、
前記ユニットパネルとして、前記スイッチ装置を複数搭載可能なスイッチ用パネルと、前記計測装置を複数搭載可能な計器用パネルと、前記表示灯を複数搭載可能なランプ用パネルとがあり、
前記スイッチ装置、前記計測装置、及び前記表示灯の必要数に応じて、前記スイッチ用パネル、前記計器用パネル、及び前記ランプ用パネルから必要なユニットパネルが選択され、当該ユニットパネルが、搭載されている前記スイッチ装置や前記計測装置、前記表示灯を前記開口内に位置させた状態で、前記フレーム本体に固定されていることを特徴とするキャビネット。
【請求項２】
前記固定部が、前記前枠の四隅から後方へ延びる脚部として構成されているとともに、
前記前枠が、左右何れか一方の側辺部を軸として片開き可能に取り付けられていることを特徴とする請求項１に記載のキャビネット。
【請求項３】
スイッチ装置、計測装置、及び表示灯のうちの少なくとも何れか１つが搭載されたメータパネルが内蔵されているとともに、
前記メータパネルが、キャビネットへ固定する固定部、及び中央に開口を有する正面視矩形のフレーム状に成形された前枠を有するフレーム本体と、前記フレーム本体に、前記前枠の開口の少なくとも一部を覆うように固定される複数のユニットパネルとを備えているキャビネットにおけるメータパネルの設置方法であって、
前記キャビネットに前記フレーム体を固定する第１工程と、
前記ユニットパネルとして、前記スイッチ装置を複数搭載可能なスイッチ用パネルと、前記計測装置を複数搭載可能な計器用パネルと、前記表示灯を複数搭載可能なランプ用パネルとがあり、
前記スイッチ装置、前記計測装置、及び前記表示灯の必要数に応じて、前記スイッチ用パネル、前記計器用パネル、及び前記ランプ用パネルから必要なユニットパネルを選択する第２工程と、
選択した前記ユニットパネルに必要な前記スイッチ装置、前記計測装置、及び前記表示灯を搭載する第３工程と、
前記ユニットパネルを、搭載されている前記スイッチ装置や前記計測装置、前記表示灯を前記開口内に位置させた状態で、前記フレーム本体に固定する第４工程とを実行することを特徴とするキャビネットにおけるメータパネルの設置方法。
【発明の詳細な説明】
【技術分野】
【０００１】
本発明は、たとえば回路遮断器や各種計測装置を収納する配電盤等に使用されるキャビネット、及び当該キャビネットにおけるメータパネルの設置方法に関するものである。
【背景技術】
【０００２】
従来、配電盤や高圧受配電装置等に使用されるキャビネットには、電流計や電圧計等の計測装置、各種計測装置における計測結果に係る正常／異常を報知するための表示灯、及び各種スイッチ等が内蔵される（たとえば特許文献１）。そして、それらの計測装置、表示灯、及びスイッチ等を１つのメータパネル上に搭載することで、作業者の利便性の向上を図っている。
【先行技術文献】
【特許文献】
【０００３】
【特許文献１】特開平６−２５３４２２号公報
【発明の概要】
【発明が解決しようとする課題】
【０００４】
上述したような計測装置、表示灯、及びスイッチ等の種類や数、有無等は、キャビネットをどのような装置として使用するかによって都度異なる。したがって、従来では、計測装置、表示灯、及びスイッチ等の種類や数、有無等に応じて都度メータパネルを設計しており、パネルの製造に時間や手間がかかってしまい、ひいてはコストが高くなるという問題を引き起こしていた。
【０００５】
そこで、本発明は、上記問題に鑑みなされたものであって、メータパネルを容易に製造することができ、低コスト化を図ることができるキャビネット、及び当該キャビネットにおけるメータパネルの設置方法を提供しようとするものである。
【課題を解決するための手段】
【０００６】
上記目的を達成するために、本発明のうち請求項１に記載の発明は、スイッチ装置、計測装置、及び表示灯のうちの少なくとも何れか１つが搭載されたメータパネルが内蔵されたキャビネットであって、前記メータパネルが、前記キャビネットへ固定する固定部、及び中央に開口を有する正面視矩形のフレーム状に成形された前枠を有するフレーム本体と、前記フレーム本体に、前記前枠の開口の少なくとも一部を覆うように固定される複数のユニットパネルとを備えてなり、前記ユニットパネルとして、前記スイッチ装置を複数搭載可能なスイッチ用パネルと、前記計測装置を複数搭載可能な計器用パネルと、前記表示灯を複数搭載可能なランプ用パネルとがあり、前記スイッチ装置、前記計測装置、及び前記表示灯の必要数に応じて、前記スイッチ用パネル、前記計器用パネル、及び前記ランプ用パネルから必要なユニットパネルが選択され、当該ユニットパネルが、搭載されている前記スイッチ装置や前記計測装置、前記表示灯を前記開口内に位置させた状態で、前記フレーム本体に固定されていることを特徴とする。
請求項２に記載の発明は、請求項１に記載の発明において、前記固定部が、前記前枠の四隅から後方へ延びる脚部として構成されているとともに、前記前枠が、左右何れか一方の側辺部を軸として片開き可能に取り付けられていることを特徴とする。
また、上記目的を達成するために、本発明のうち請求項３に記載の発明は、スイッチ装置、計測装置、及び表示灯のうちの少なくとも何れか１つが搭載されたメータパネルが内蔵されているとともに、前記メータパネルが、キャビネットへ固定する固定部、及び中央に開口を有する正面視矩形のフレーム状に成形された前枠を有するフレーム本体と、前記フレーム本体に、前記前枠の開口の少なくとも一部を覆うように固定される複数のユニットパネルとを備えているキャビネットにおけるメータパネルの設置方法であって、前記キャビネットに前記フレーム体を固定する第１工程と、前記ユニットパネルとして、前記スイッチ装置を複数搭載可能なスイッチ用パネルと、前記計測装置を複数搭載可能な計器用パネルと、前記表示灯を複数搭載可能なランプ用パネルとがあり、前記スイッチ装置、前記計測装置、及び前記表示灯の必要数に応じて、前記スイッチ用パネル、前記計器用パネル、及び前記ランプ用パネルから必要なユニットパネルを選択する第２工程と、選択した前記ユニットパネルに必要な前記スイッチ装置、前記計測装置、及び前記表示灯を搭載する第３工程と、前記ユニットパネルを、搭載されている前記スイッチ装置や前記計測装置、前記表示灯を前記開口内に位置させた状態で、前記フレーム本体に固定する第４工程とを実行することを特徴とする。
【発明の効果】
【０００７】
本発明によれば、メータパネルが、キャビネットへ固定する固定部、及び中央に開口を有する正面視矩形のフレーム状に成形された前枠を有するフレーム本体と、フレーム本体に、前枠の開口の少なくとも一部を覆うように固定される複数のユニットパネルとを備えてなる。また、ユニットパネルとして、スイッチ装置を複数搭載可能なスイッチ用パネルと、計測装置を複数搭載可能な計器用パネルと、表示灯を複数搭載可能なランプ用パネルとがある。そして、スイッチ装置、計測装置、及び表示灯の必要数に応じて、スイッチ用パネル、計器用パネル、及びランプ用パネルから必要なユニットパネルが選択され、当該ユニットパネルが、搭載されているスイッチ装置や計測装置、表示灯を開口内に位置させた状態で、フレーム本体に固定されている。したがって、計測装置、表示灯、及びスイッチ等の種類や数、有無等に応じて都度メータパネルを設計する必要がなく、メータパネルを容易に製造することができ、ひいては低コスト化を図ることができる。
また、請求項２に記載の発明によれば、固定部が、前枠の四隅から後方へ延びる脚部として構成されているとともに、前枠が、左右何れか一方の側辺部を軸として片開き可能に取り付けられている。したがって、前枠の後方空間を配線用スペースとして活用することができ、使い勝手が良い上、前枠を片開きすることで、配線時やメンテナンス時の作業を容易に行うことができるという効果がある。
【図面の簡単な説明】
【０００８】
【図１】キャビネットの外観を示した説明図である。
【図２】キャビネットの扉体を開放した状態を示した斜視説明図である。
【図３】メータパネルにおける前枠を片開きした状態を示した斜視説明図である。
【図４】各種計測装置やスイッチが搭載されたメータパネルを示した斜視説明図である。
【図５】各種計測装置やスイッチが取り外したメータパネルを後方から示した説明図である。
【図６】メータパネルのフレーム本体を示した斜視説明図である。
【図７】メータパネルを分解した状態を示した斜視説明図である。
【図８】図４とは搭載されている各種計測装置やスイッチが異なるメータパネルを示した斜視説明図である。
【発明を実施するための形態】
【０００９】
以下、本発明の一実施形態となるキャビネット及びキャビネットにおけるメータパネルの設置方法について、図面にもとづき詳細に説明する。
【００１０】
図１は、キャビネット１の外観を示した説明図である。図２は、キャビネット１の扉体３、３を開放した状態を示した斜視説明図である。図３は、メータパネル１０における前枠１２を片開きした状態を示した斜視説明図である。図４は、各種計測装置やスイッチが搭載されたメータパネル１０を示した斜視説明図である。図５は、各種計測装置やスイッチが取り外したメータパネル１０を後方から示した説明図である。図６は、メータパネル１０のフレーム本体１１を示した斜視説明図である。図７は、メータパネル１０を分解した状態を示した斜視説明図である。図８は、図４とは搭載されている各種計測装置やスイッチが異なるメータパネル１０を示した斜視説明図である。
【００１１】
キャビネット１は、天面、底面、背面、及び左右両側面が閉塞され、前面に開口するキャビネット本体２と、キャビネット本体２の前面開口を開閉する１組の扉体３、３とを備えており、左側の扉体３はキャビネット本体２の前面開口の左縁を軸として、右側の扉体３はキャビネット本体２の前面開口の右縁を軸として夫々片開き自在となっている。また、右側の扉体３には窓４が設けられており、扉体３を閉塞した状態のままでも、窓４を介してキャビネット１の内部を視認可能となっている。そして、キャビネット１の内部であって窓４の後方となる位置に、メータパネル１０が設置されている。
【００１２】
メータパネル１０は、フレーム本体１１と、フレーム本体１１に取り付けられるユニットパネル（後述するスイッチパネル２１や計器用パネル２２等）とを有してなる。フレーム本体１１は、正面視矩形のフレーム状に成形された前枠１２と、前枠１２の四隅から夫々後方へ突設された脚部１３、１３・・とを備えている。前枠１２は、左右の側辺部１２Ａ、１２Ｂと、両側辺部１２Ａ、１２Ｂの上下の夫々両端同士を連結する上辺部１２Ｃ及び下辺部１２Ｄとを有しており、各辺部１２Ａ〜１２Ｄで囲まれた中央の大開口は、計測装置等を設置するための設置開口部１２Ｅとなる。また、左右の側辺部１２Ａ、１２Ｂの設置開口部１２Ｅ周縁に沿っては、ユニットパネルをネジ止めするための複数のネジ孔１４、１４・・が上下方向へ並設されている。一方、各脚部１３は、前端側が前枠１２との連結部、後端側がキャビネット本体２の背面への固定部とされた部材である。そして、前枠１２は、脚部１３、１３・・に対して、右側の側辺部１２Ｂを軸として片開き可能となるように組み付けられている。つまり、右側の側辺部１２Ｂと脚部１３、１３の前端とは、蝶番を介して連結されている。したがって、前枠１２は、その左側の側辺部１２Ａが脚部１３、１３側へ傾倒して両者が連結される閉塞姿勢（図２）と、左側の側辺部１２Ａが起立して脚部１３、１３から離隔する片開き姿勢との間を回動可能となる。なお、１５は、キャビネット本体２へ固定するための固定孔を有する固定片であり、１６は、前枠１２を閉塞姿勢で保持するための係止部である。
【００１３】
また、ユニットパネルとしては、各種スイッチ５１、５２を搭載可能なスイッチ用パネル２１と、電流計５３等の計測装置を搭載可能な計器用パネル２２と、表示灯５４を搭載可能なランプ用パネル２３との三種類のパネルがある。スイッチ用パネル２１は、前枠１２の左右の側辺部１２Ａ、１２Ｂのネジ孔１４、１４間と略同じ左右長さを有する左右方向へ長い金属板であって、その長手方向での両端（左右両端）には、自身を前枠１２にネジ止めするための丸孔２４が夫々穿設されている。さらに、スイッチ用パネル２１には、たとえばＯＮ／ＯＦＦするための押しボタンスイッチ５１や、操作を手元／遠隔で切り替えるための切り替えスイッチ５２等の各種スイッチを取り付けるための複数のスイッチ取付部２１Ａ、２１Ａ・・が設けられている。
【００１４】
計器用パネル２２は、スイッチ用パネル２１と同じ左右長さを有する左右方向へ長い金属板であって、スイッチ用パネル２１同様に、長手方向の両端には丸孔２４、２４が夫々穿設されている。そして、計器用パネル２２には、電流計５３や電圧計（図示せず）等の各種計測装置を取り付けるための複数の計器取付部２２Ａ、２２Ａ・・が設けられている。また、ランプ用パネル２３は、計器用パネル２２と略同じ大きさ及び形状に形成された金属板であって、長手方向の両端には丸孔２４、２４が夫々穿設されている。そして、ランプ用パネル２３には、表示灯５４を取り付けるための複数のランプ取付部２３Ａ、２３Ａ・・が設けられている。なお、計器用パネル２２及びランプ用パネル２３の上下方向での幅は、スイッチ用パネル２１の略２倍の幅とされている。
【００１５】
そして、メータパネル１０を組み立て及びキャビネット１へ設置するにあたっては、まず脚部１３、１３・・に前枠１２を組み付けてフレーム本体１１を構成した後、脚部１３、１３・・をキャビネット本体２の背面に固着する。その後、計測装置、表示灯、及びスイッチ等の種類や数、有無に応じて必要なパネル２１〜２３を選択してスイッチや計測装置、表示灯等を搭載した上で、それらパネル２１〜２３を、搭載されているスイッチや計測装置等を設置開口部１２Ｅ内に位置させた状態で、両端を前枠１２にネジ止めすればよい。
【００１６】
たとえば本実施形態では、３つの押しボタンスイッチ５１、５１・・及び切り替えスイッチ５２、５２・・と、３つの電流計５３、５３・・と、９つの表示灯５４、５４・・が必要であったとする。この場合、スイッチ用パネル２１については２つ準備し、計器用パネル２２及びランプ用パネル２３については夫々１つずつ準備する。そして、第１のスイッチ用パネル２１には押しボタンスイッチ５１、５１・・を、第２のスイッチ用パネル２２には切り替えスイッチ５２、５２・・を夫々搭載するとともに、計器用パネル２２には電流計５３、５３・・を、ランプ用パネル２３には表示灯５４、５４・・を夫々搭載した上で、全てのパネル２１、２２、２３を前枠１２へ固定すればよい（図４）。
【００１７】
また、上記形態とは異なり、６つの押しボタンスイッチ５１、５１・・、及び６つの電流計５３、５３・・が必要であったとする。この場合には、スイッチ用パネル２１と計器用パネル２２とを２つ準備する。そして、スイッチ用パネル２１には押しボタンスイッチ５１、５１・・を、計器用パネル２２には電流計５３、５３・・を夫々搭載した上で、全てのパネル２１、２２を前枠１２へ固定すればよい（図８）。
【００１８】
以上のような構成を有するキャビネット１及びキャビネット１におけるメータパネル１０の設置方法によれば、メータパネル１０が、前枠１２及び脚部１３、１３・・からなるフレーム本体１１と、フレーム本体１１に対して、前枠１２の設置開口部１２Ｅを覆うように取り付けられる複数のユニットパネルとを有してなる。また、ユニットパネルとして、各種スイッチ５１、５２を複数搭載可能なスイッチ用パネル２１と、電流計５３等の計測装置を複数搭載可能な計器用パネル２２と、表示灯５４を複数搭載可能なランプ用パネル２３とがある。そして、計測装置、表示灯、及びスイッチ等の種類や数、有無に応じて必要なパネル２１〜２３を選択してスイッチや計測装置、表示灯等を搭載した上で、それらパネル２１〜２３を、搭載されているスイッチや計測装置等を設置開口部１２Ｅ内に位置させた状態で、両端を前枠１２にネジ止めすることにより構成するようにした。したがって、計測装置、表示灯、及びスイッチ等の種類や数、有無等に応じて都度メータパネルを設計する必要がなく、メータパネル１０を容易に製造することができ、ひいては低コスト化を図ることができる。
【００１９】
また、前後方向へ延びる脚部１３、１３・・の前端に前枠１２を取り付けてフレーム本体１１を構成しているため、前枠１２の後方空間を配線用スペースとして活用することができ、使い勝手が良い。
さらに、前枠１２は、右側の側辺部１２Ｂを軸として片開き可能に取り付けられているため、前枠１２を片開きすることで、配線時やメンテナンス時の作業を容易に行うことができるという効果もある。
【００２０】
なお、本発明のキャビネット及びキャビネットにおけるメータパネルの設置方法に係る構成は、上記実施形態の態様に何ら限定されるものではなく、キャビネットの全体的な構造は勿論、メータパネルに係る構成等についても、本発明の趣旨を逸脱しない範囲で、必要に応じて適宜変更することができる。
【００２１】
たとえば、上記実施形態では、キャビネットの内部にメータパネルを１つしか設置していないが、２つ以上のメータパネルを設置してキャビネットを構成しても何ら問題はない。
また、固定部に対して前枠を片開き可能としないように構成してもよいし、片開き可能とするにあたり、右側ではなく、左側を軸として片開き可能に構成することは勿論可能である。
【００２２】
さらに、上記実施形態では、前枠の設置開口部全てをユニットパネルで覆うように構成しているが、設置開口部の一部しかユニットパネルで覆われないように構成しても何ら問題はない。
さらにまた、各パネルを使用するにあたり、全ての取付部に計測装置やスイッチ等を取り付ける必要はなく、余分な取付部に関しては図示しないキャップ等で覆って使用してもよい。また、たとえば１つのスイッチ用パネルに押しボタンスイッチと切り替えスイッチとの両方を搭載しても何ら問題はない。
加えて、各パネルに設ける取付部の数や各パネルの大きさ等については、言うまでもなく適宜設計変更可能である。
【符号の説明】
【００２３】
１・・キャビネット、２・・キャビネット本体、３・・扉体、１０・・メータパネル、１１・・フレーム本体、１２・・前枠、１２Ｅ・・設置開口部、１３・・脚部（固定部）、２１・・スイッチ用パネル、２２・・計器用パネル、２３・・ランプ用パネル、５１・・押しボタンスイッチ（スイッチ装置）、５２・・切り替えスイッチ（スイッチ装置）、５３・・電流計（計測装置）、５４・・表示灯。
【図１】
2019080409.tif 000003
【図２】
2019080409.tif 000004
【図３】
2019080409.tif 000005
【図４】
2019080409.tif 000006
【図５】
2019080409.tif 000007
【図６】
2019080409.tif 000008
【図７】
2019080409.tif 000009
【図８】
2019080409.tif 000010